(57)【要約】【課題】操作ワイヤと可撓性シースの内周面との間に大きな隙間があっても、操作ワイヤが基端側から押し込み操作された時に可撓性シース内で操作ワイヤが大きく波うたないようにして、可撓性シースに対する先端処置部材の突出規制と回転規制とを確実に行うことができる内視鏡用処置具を提供すること。【解決手段】可撓性シース１内で操作ワイヤ３の全長にわたってその外面を囲む内挿シース５を操作ワイヤ３に緩く被嵌して、可撓性シース１の先端に設けられた固定口金７に当接して前進ストッパ及び回転規制手段として機能する可動口金６を、内挿シース５の最先端部分に取り付けた。【選択図】      図１
2009213730.tif 000002
【特許請求の範囲】
【請求項１】
可撓性シースの先端から前方に突没自在に且つ上記可撓性シースの軸線周り方向に回転自在に先端処置部材が配置されて、上記可撓性シース内に軸線方向に進退自在に緩く挿通配置された操作ワイヤを基端側から進退操作することにより上記先端処置部材が上記可撓性シースの先端から突没し、上記操作ワイヤを基端側から軸線周り方向に回転操作することにより上記先端処置部材が上記可撓性シースの軸線周り方向に回転するように構成されると共に、上記先端処置部材が上記可撓性シースの先端から一定以上突出するのを規制する前進ストッパと、上記先端処置部材が上記可撓性シースの先端から突出した状態のときに上記可撓性シースに対して軸線周り方向に相対的に回転するのを規制する回転規制手段とが設けられた内視鏡用処置具において、
上記可撓性シース内で上記操作ワイヤの全長にわたってその外面を囲む内挿シースを上記操作ワイヤに緩く被嵌して、上記可撓性シースの先端に設けられた固定口金に当接して上記前進ストッパ及び上記回転規制手段として機能する可動口金を、上記内挿シースの最先端部分に取り付けたことを特徴とする内視鏡用処置具。
【請求項２】
上記内挿シースが基端側において上記操作ワイヤと一体的に連結されている請求項１記載の内視鏡用処置具。
【請求項３】
上記内挿シースが上記操作ワイヤに対して遊動する状態に被嵌されていて、上記操作ワイヤが基端側から押し込み操作されると、上記可撓性シースの先端に設けられた固定口金と上記操作ワイヤの先端に設けられた押し込み部材との間に上記可動口金が挟み付けられた状態になる請求項１記載の内視鏡用処置具。
【発明の詳細な説明】
【技術分野】
【０００１】
この発明は内視鏡用処置具に関する。
【背景技術】
【０００２】
いわゆる内視鏡用高周波切開具等のように、内視鏡の処置具挿通チャンネルに通されて生体組織を高周波電流で切開する等の処置を行う内視鏡用処置具にあっては、高周波電極である先端処置部材が可撓性シースの先端から前方に突没自在に且つ可撓性シースの軸線周り方向に回転自在に配置されて、可撓性シース内に軸線方向に進退自在に挿通配置された操作ワイヤを基端側から進退操作することにより先端処置部材が可撓性シースの先端から突没し、操作ワイヤを基端側から軸線周り方向に回転操作することにより先端処置部材が可撓性シースの軸線周り方向に回転するように構成されたものが少なくない。
【０００３】
ただし、切開処置を行う際に先端処置部材が振らつかないようにするために、先端処置部材が可撓性シースの先端から一定以上突出するのを規制する前進ストッパと、先端処置部材が可撓性シースの先端から突出した状態のときに可撓性シースに対して軸線周り方向に相対的に回転するのを規制する回転規制手段とを設けることが望ましい（例えば、特許文献１）。
【特許文献１】特開２００４−２６１３７２
【発明の開示】
【発明が解決しようとする課題】
【０００４】
特許文献１の図２等に記載された発明においては、操作ワイヤが基端側から押し込み操作されると、その先端に取り付けられた部材が可撓性シースの先端に設けられた固定口金に押し付けられて、可撓性シースに対する先端処置部材の回転規制と突出規制とが行われる。
【０００５】
しかし、可撓性シースの径と操作ワイヤの径は色々な要因から決定されて、二者の関係だけでそれらの径を決定することはできないので、操作ワイヤと可撓性シースの内周面との間に大きな隙間が生じる構成になる場合がある。
【０００６】
すると、操作ワイヤの先端に取り付けられた部材が可撓性シースの先端に設けられた固定口金に押し付けられても、可撓性シース内で操作ワイヤが波うってしまって、押し付け面に十分な摩擦力が発生せず、そのため先端処置部材が外力等により可撓性シースに対して容易に回転してしまう場合がある。
【０００７】
本発明は、操作ワイヤと可撓性シースの内周面との間に大きな隙間があっても、操作ワイヤが基端側から押し込み操作された時に可撓性シース内で操作ワイヤが大きく波うたないようにして、可撓性シースに対する先端処置部材の突出規制と回転規制とを確実に行うことができる内視鏡用処置具を提供することを目的とする。
【課題を解決するための手段】
【０００８】
上記の目的を達成するため、本発明の内視鏡用処置具は、可撓性シースの先端から前方に突没自在に且つ可撓性シースの軸線周り方向に回転自在に先端処置部材が配置されて、可撓性シース内に軸線方向に進退自在に緩く挿通配置された操作ワイヤを基端側から進退操作することにより先端処置部材が可撓性シースの先端から突没し、操作ワイヤを基端側から軸線周り方向に回転操作することにより先端処置部材が可撓性シースの軸線周り方向に回転するように構成されると共に、先端処置部材が可撓性シースの先端から一定以上突出するのを規制する前進ストッパと、先端処置部材が可撓性シースの先端から突出した状態のときに可撓性シースに対して軸線周り方向に相対的に回転するのを規制する回転規制手段とが設けられた内視鏡用処置具において、可撓性シース内で操作ワイヤの全長にわたってその外面を囲む内挿シースを操作ワイヤに緩く被嵌して、可撓性シースの先端に設けられた固定口金に当接して前進ストッパ及び回転規制手段として機能する可動口金を、内挿シースの最先端部分に取り付けたものである。
【０００９】
なお、内挿シースが基端側において操作ワイヤと一体的に連結されていてもよく、或いは、内挿シースが操作ワイヤに対して遊動する状態に被嵌されていて、操作ワイヤが基端側から押し込み操作されると、可撓性シースの先端に設けられた固定口金と操作ワイヤの先端に設けられた押し込み部材との間に可動口金が挟み付けられた状態になるようにしてもよい。
【発明の効果】
【００１０】
本発明によれば、可撓性シース内で操作ワイヤの全長にわたってその外面を囲む内挿シースを操作ワイヤに緩く被嵌して、可撓性シースの先端に設けられた固定口金に当接して前進ストッパ及び回転規制手段として機能する可動口金を、内挿シースの最先端部分に取り付けたことにより、操作ワイヤと可撓性シースの内周面との間に大きな隙間があっても、操作ワイヤが基端側から押し込み操作された時に可撓性シース内で操作ワイヤが大きく波うたず、可撓性シースに対する先端処置部材の突出規制と回転規制とを確実に行うことができる。
【発明を実施するための最良の形態】
【００１１】
可撓性シースの先端から前方に突没自在に且つ可撓性シースの軸線周り方向に回転自在に先端処置部材が配置されて、可撓性シース内に軸線方向に進退自在に緩く挿通配置された操作ワイヤを基端側から進退操作することにより先端処置部材が可撓性シースの先端から突没し、操作ワイヤを基端側から軸線周り方向に回転操作することにより先端処置部材が可撓性シースの軸線周り方向に回転するように構成されると共に、先端処置部材が可撓性シースの先端から一定以上突出するのを規制する前進ストッパと、先端処置部材が可撓性シースの先端から突出した状態のときに可撓性シースに対して軸線周り方向に相対的に回転するのを規制する回転規制手段とが設けられた内視鏡用処置具において、可撓性シース内で操作ワイヤの全長にわたってその外面を囲む内挿シースを操作ワイヤに緩く被嵌して、可撓性シースの先端に設けられた固定口金に当接して前進ストッパ及び回転規制手段として機能する可動口金を、内挿シースの最先端部分に取り付ける。
【実施例】
【００１２】
以下、図面を参照して本発明の実施例を説明する。
図２は内視鏡用処置具の先端部分の側面断面図であり、この実施例では内視鏡用高周波切開具に本発明が適用されている。
【００１３】
図示されていない内視鏡の処置具挿通チャンネルに挿脱される可撓性シース１は、四フッ化エチレン樹脂チューブ等のような電気絶縁性の可撓性チューブで形成されており、例えば直径が２ｍｍ程度で長さが１〜２ｍ程度のものである。
【００１４】
可撓性シース１の先端内には、先端が側方に折れ曲がったフック状に形成された導電金属製の先端処置部材２が、可撓性シース１の先端から前方に突没自在に且つ可撓性シース１の軸線周り方向に回転自在に配置されている。
【００１５】
可撓性シース１内には、導電金属製の操作ワイヤ３が軸線方向に進退自在に且つ軸線周り方向に回転自在に緩く挿通配置されており、可撓性シース１の基端に連結された後述する操作部１０において、操作ワイヤ３の基端を可撓性シース１に対して軸線方向に進退操作及び軸線周り方向に回転操作することができる。
【００１６】
そのような先端処置部材２の後端と操作ワイヤ３の先端とは接続パイプ４を介して連結されている。具体的には、先端処置部材２の後端接続尾部２ａと操作ワイヤ３の最先端部とが接続パイプ４に前側からと後側から各々差し込まれて、銀ロー付け等で一体的に固着されている。
【００１７】
その結果、操作ワイヤ３を基端側から進退操作することにより先端処置部材２を可撓性シース１の先端から突没させ、操作ワイヤ３を基端側から軸線周り方向に回転操作することにより先端処置部材２を可撓性シース１の軸線周り方向に回転させることができる。
【００１８】
５は、可撓性シース１内において操作ワイヤ３の全長にわたってその外面を囲むように操作ワイヤ３に被嵌された内挿シースであり、例えば比較的硬質のフッ素樹脂チューブ又はポリアミド樹脂等のような腰の強い可撓性チューブで形成されている。
【００１９】
内挿シース５は、可撓性シース１の内周面に対し隙間をあけて操作ワイヤ３に対し緩く被嵌されている。したがって、非常に容易に組み立てることができ、可撓性シース１に対する作動もスムーズである。
【００２０】
内挿シース５の最先端部分には、硬質の可動口金６が固定的に取り付けられている。可動口金６は、接続パイプ４の後端付近を囲む状態に配置されているが、接続パイプ４との位置関係はその他の態様であっても差し支えない。
【００２１】
可撓性シース１の先端近傍の内周部には、硬質の固定口金７が固着されており、可動口金６が前方に移動すると、可動口金６の先端面が固定口金７の後端面に当接する位置関係になっていて、その当接面は軸線周りの回転方向に摩擦力が生じる粗面になっている。
【００２２】
図３は、可撓性シース１の基端側に連結された操作部１０を示しており、操作部本体１１に対してスライド自在に取り付けられたスライド操作部材１２に、操作ワイヤ３の基端が取り付けられている。
【００２３】
内挿シース５の基端は操作ワイヤ３の基端付近に一体的に固定されている。したがって、スライド操作部材１２をスライド操作すると、操作ワイヤ３が軸線方向に進退すると同時に、内挿シース５が操作ワイヤ３と共に進退し、可撓性シース１の先端において先端処置部材２が可撓性シース１の先端から突没する。
【００２４】
スライド操作部材１２には、図示されていない高周波電源コードを接続するための接続端子１３が設けられていて、操作ワイヤ３を経由して先端処置部材２に高周波電流を通電することができる。
【００２５】
可撓性シース１の基端は、操作部本体１１に対して軸線周り方向に回転自在に取り付けられた保持環１４に連結されている。したがって、保持環１４を保持して操作部１０全体を軸線周り方向に回転させれば、可撓性シース１に対して操作ワイヤ３と内挿シース５が一緒に軸線周り方向に回転し、可撓性シース１の先端で先端処置部材２が軸線周り方向に回転する。
【００２６】
そのように構成された実施例においては、操作部１０で操作ワイヤ３を先端方向に押し込み操作すると、可撓性シース１の先端では、図１に示されるように、内挿シース５の先端に取り付けられた可動口金６の先端面が可撓性シース１に取り付けられた固定口金７の後端面に当接する。
【００２７】
そのようになると、先端処置部材２が、可撓性シース１の先端から突出した状態でさらにそれ以上突出するのが規制されると同時に、可動口金６と固定口金７との間の摩擦抵抗により、先端処置部材２が可撓性シース１に対して軸線周り方向に相対的に回転するのが規制される。
【００２８】
このようにして、先端処置部材２が可撓性シース１の先端から一定以上突出するのを規制する前進ストッパと、先端処置部材２が可撓性シース１の先端から突出した状態のときに可撓性シース１に対して軸線周り方向に相対的に回転するのを規制する回転規制手段とが、共に可動口金６と固定口金７とで形成されている。
【００２９】
また、操作ワイヤ３の周囲には、内挿シース５が被嵌されて操作ワイヤ３が大きく波うたないように規制され、内挿シース５として腰の強いチューブが用いられているので、可動口金６と固定口金７との間に大きな圧接力を生じさせて両者間の相対的回転を阻止する十分な摩擦抵抗を得ることができる。
【００３０】
図４と図５は、本発明の第２の実施例の内視鏡用処置具の先端部分と操作部を示しており、図５に示されるように、内挿シース５の基端は可撓性シース１の基端部付近の内部に固定されずに配置されて、内挿シース５が操作ワイヤ３に対して遊動する状態に被嵌されている。
【００３１】
また、先端部分においては、図４に示されるように、固定口金７の後方において遊動する可動口金６を前方に押し込むための押し込み部材４ａが接続パイプ４に一体に突出形成されている。可動口金６は固定口金７と押し込み部材４ａとの間に配置されている。
【００３２】
その結果、この実施例においては、操作ワイヤ３が基端側から押し込み操作されると、図６に示されるように、可撓性シース１の先端に固定的に設けられた固定口金７と操作ワイヤ３の先端に設けられた押し込み部材４ａとの間に可動口金６が挟み付けられた状態になる。その他の構成は、前述の第１の実施例と同じであり、第１の実施例と同様の作用効果が得られる。
【００３３】
なお、本発明は上記実施例に限定されるものではなく、例えば、高周波電流を使用しない各種の内視鏡用処置具に本発明を適用してもよい。
【図面の簡単な説明】
【００３４】
【図１】本発明の第１の実施例の内視鏡用処置具において先端処置部材が前方に突出した状態の先端部分の側面断面図である。
【図２】本発明の第１の実施例の内視鏡用処置具において先端処置部材が可撓性シース内に退避した状態の先端部分の側面断面図である。
【図３】本発明の第１の実施例の内視鏡用処置具の操作部の側面図である。
【図４】本発明の第２の実施例の内視鏡用処置具において先端処置部材が可撓性シース内に退避した状態の先端部分の側面断面図である。
【図５】本発明の第２の実施例の内視鏡用処置具の操作部の側面図である。
【図６】本発明の第２の実施例の内視鏡用処置具において先端処置部材が前方に突出した状態の先端部分の側面断面図である。
【符号の説明】
【００３５】
１  可撓性シース
２  先端処置部材
３  操作ワイヤ
４ａ  押し込み部材
５  内挿シース
６  可動口金
７  固定口金
１０  操作部
【図１】
2009213730.tif 000003
【図２】
2009213730.tif 000004
【図３】
2009213730.tif 000005
【図４】
2009213730.tif 000006
【図５】
2009213730.tif 000007
【図６】
2009213730.tif 000008
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
可撓性シースの先端から前方に突没自在に且つ上記可撓性シースの軸線周り方向に回転自在に先端処置部材が配置されて、上記可撓性シース内に軸線方向に進退自在に緩く挿通配置された操作ワイヤを基端側から進退操作することにより上記先端処置部材が上記可撓性シースの先端から突没し、上記操作ワイヤを基端側から軸線周り方向に回転操作することにより上記先端処置部材が上記可撓性シースの軸線周り方向に回転するように構成されると共に、上記先端処置部材が上記可撓性シースの先端から一定以上突出するのを規制する前進ストッパと、上記先端処置部材が上記可撓性シースの先端から突出した状態のときに上記可撓性シースに対して軸線周り方向に相対的に回転するのを規制する回転規制手段とが設けられた内視鏡用処置具において、
上記可撓性シース内で上記操作ワイヤの全長にわたってその外面を囲む内挿シースを上記操作ワイヤに緩く被嵌して、上記可撓性シースの先端に設けられた固定口金に当接して上記前進ストッパ及び上記回転規制手段として機能する可動口金を、上記内挿シースの最先端部分に取り付けたことを特徴とする内視鏡用処置具。
【請求項２】
上記内挿シースが上記操作ワイヤに対して遊動する状態に被嵌されていて、上記操作ワイヤが基端側から押し込み操作されると、上記可撓性シースの先端に設けられた固定口金と上記操作ワイヤの先端に設けられた押し込み部材との間に上記可動口金が挟み付けられた状態になる請求項１記載の内視鏡用処置具。
【請求項３】
上記内挿シースが基端側において上記操作ワイヤと一体的に連結されている請求項１記載の内視鏡用処置具。